【手続補正書】
【提出日】平成27年6月12日(2015.6.12)
【手続補正１】
【補正対象書類名】特許請求の範囲
【補正対象項目名】全文
【補正方法】変更
【補正の内容】
【特許請求の範囲】
【請求項１】
第１グループの複数の画素および第２グループの複数の画素を有し、第１の期間におけ
る第１の種類のフレーム画像に基づく表示と、第２の期間における第２の種類のフレーム画像に基づく表示とを切り換えて行う表示部と、
前記第１の期間において、前記第２グループの複数の画素を駆動せずに前記第１グループの複数の画素を駆動する第１の駆動を行い、前記第２の期間において、前記第１グループの複数の画素を駆動せずに前記第２グループの複数の画素を駆動する第２の駆動を行う駆動部と
を備えた表示装置。
【請求項２】
前記第１グループの複数の画素は、複数の奇数ライン画素であり、
前記第２グループの複数の画素は、複数の偶数ライン画素である
請求項１に記載の表示装置。
【請求項３】
前記第１の駆動は、前記複数の奇数ライン画素を１または複数回走査するものであり、
前記第２の駆動は、前記複数の偶数ライン画素を１または複数回走査するものである
請求項２に記載の表示装置。
【請求項４】
前記駆動部は、
前記第１の駆動の後であって前記第２の駆動の前に、前記複数の奇数ライン画素に所定の輝度情報を書き込む第３の駆動を行い、
前記第２の駆動の後であって前記第１の駆動の前に、前記偶数ライン画素に前記所定の輝度情報を書き込む第４の駆動を行う
請求項２または請求項３に記載の表示装置。
【請求項５】
前記所定の輝度情報は、黒色を示すものである
請求項４に記載の表示装置。
【請求項６】
前記第３の駆動は、前記複数の奇数ライン画素を１または複数回走査するものであり、
前記第４の駆動は、前記複数の偶数ライン画素を１または複数回走査するものである
請求項４または請求項５に記載の表示装置。
【請求項７】
前記駆動部は、
前記第１の駆動の後であって前記第２の駆動の前に、前記表示部における各画素に所定の輝度情報を書き込む第３の駆動を行い、
前記第２の駆動の後であって前記第１の駆動の前に、前記表示部における各画素に前記所定の輝度情報を書き込む第４の駆動を行う
請求項２または請求項３に記載の表示装置。
【請求項８】
前記第３の駆動および前記第４の駆動は、互いに隣り合う２ラインを単位として走査駆動するものである
請求項７に記載の表示装置。
【請求項９】
前記表示部は、複数の走査信号線を備え、
前記奇数ライン画素は、前記複数の走査信号線のうちの奇数番目の走査信号線に接続されており、
前記偶数ライン画素は、前記複数の走査信号線のうちの偶数番目の走査信号線に接続されている
請求項２から請求項８のいずれか一項に記載の表示装置。
【請求項１０】
同じ走査信号線に接続された画素は、走査方向と交差する方向に並設されている
請求項９に記載の表示装置。
【請求項１１】
一の画素は、その一の画素と同じ走査信号線に接続された他の画素のうちのいずれかと、走査方向における異なる位置に配置されている
請求項９に記載の表示装置。
【請求項１２】
前記第１の種類のフレーム画像に基づく表示および前記第２の種類のフレーム画像に基づく表示に同期して点灯するバックライトをさらに備え、
前記表示部は液晶表示部である
請求項１から請求項１１のいずれか一項に記載の表示装置。
【請求項１３】
前記表示部における表示に同期して、１または複数のシャッタ眼鏡のそれぞれにおける左眼シャッタおよび右眼シャッタの開閉を切り換える制御を行うシャッタ制御部をさらに備えた
請求項１から請求項１２のいずれか一項に記載の表示装置。
【請求項１４】
前記シャッタ制御部は、
前記第１の駆動および前記第２の駆動のうちの一方に同期して、前記左眼シャッタを開放状態にするとともに前記右眼シャッタを遮断状態にし、
前記第１の駆動および前記第２の駆動のうちの他方に同期して、前記左眼シャッタを遮断状態にするとともに前記右眼シャッタを開放状態にする
請求項１３に記載の表示装置。
【請求項１５】
前記シャッタ制御部は、
前記第１の駆動および前記第２の駆動のうちの一方に同期して、前記１または複数のシャッタ眼鏡のうちの第１のシャッタ眼鏡における前記左眼シャッタおよび前記右眼シャッタを開放状態にし、
前記第１の駆動および前記第２の駆動のうちの他方に同期して、前記第１のシャッタ眼鏡における前記左眼シャッタおよび前記右眼シャッタを遮断状態にする
請求項１３に記載の表示装置。
【請求項１６】
第１グループの複数の画素および第２グループの複数の画素を有し、第１の期間における第１の種類のフレーム画像に基づく表示と、第２の期間における第２の種類のフレーム画像に基づく表示とを切り換えて行う表示部に対して、前記第１の期間において、前記第２グループの複数の画素を駆動せずに前記第１グループの複数の画素を駆動する第１の駆動を行い、前記第２の期間において、前記第１グループの複数の画素を駆動せずに前記第２グループの複数の画素を駆動する第２の駆動を行う駆動部を備えた
表示駆動回路。
【請求項１７】
第１の期間において、第２グループの複数の画素を駆動せずに第１グループの複数の画素を駆動する第１の駆動を行い、第２の期間において、前記第１グループの複数の画素を駆動せずに前記第２グループの複数の画素を駆動する第２の駆動を行うことにより、前記第１の期間における第１の種類のフレーム画像に基づく表示と、前記第２の期間における第２の種類のフレーム画像に基づく表示とを切り換えて行う
表示駆動方法。
【手続補正２】
【補正対象書類名】明細書
【補正対象項目名】００１７
【補正方法】変更
【補正の内容】
【００１７】
また、映像処理部１１は、左眼画像ＦＬと右眼画像ＦＲとの間にそれぞれ黒画像Ｂｋを挿入する機能をも有している。なお、これに限定されるものではなく、これに代えて、例えば、表示駆動部２０が黒画像Ｂｋを挿入する機能を有していてもよいし、左眼画像ＦＬ、右眼画像ＦＲ、黒画像Ｂｋをも含めた一連の画像を映像処理部１１に入力するように構成してもよい。
【手続補正３】
【補正対象書類名】明細書
【補正対象項目名】００１９
【補正方法】変更
【補正の内容】
【００１９】
図２は、表示駆動部２０のブロック図の一例を表すものである。表示駆動部２０は、タイミング制御部２１と、ゲートドライバ２２と、データドライバ２３とを備えている。タイミング制御部２１は、ゲートドライバ２２およびデータドライバ２３の駆動タイミングを制御するとともに、映像処理部１１から供給された映像信号Ｓdisp2に基づいて映像信号Ｓdisp3を生成し、データドライバ２３へ供給するものである。ゲートドライバ２２は、タイミング制御部２１によるタイミング制御に従って、液晶表示部１３内の画素Ｐixを行ごとに順次選択して、順次走査するものである。データドライバ２３は、液晶表示部１３の各画素Ｐixへ、映像信号Ｓdisp3に基づく画素電圧Ｖpixを供給するものである。具体的には、データドライバ２３は、映像信号Ｓdisp3に基づいてＤ／Ａ（デジタル／アナログ）変換を行うことにより、アナログ信号である画素電圧Ｖpixを生成し、各画素Ｐixへ供給するようになっている。
【手続補正４】
【補正対象書類名】明細書
【補正対象項目名】００４５
【補正方法】変更
【補正の内容】
【００４５】
サブ画素ＳＰixでは、まず期間Ｐ１が開始し、タイミングｔ２０〜ｔ２１の期間において、ゲート線ＧＣＬの電圧が高レベルになり（図９（Ａ））、ＴＦＴ素子Ｔｒがオン状態になる。そして、データドライバ２３は、データ線ＳＧＬを介してサブ画素ＳＰixに画素電圧Ｖpixを供給し、この画素電圧Ｖpixがサブ画素ＳＰixに書き込まれる。その後、タイミングｔ２１において、ゲート線ＧＣＬの電圧が高レベルから低レベルに変化し（図９（Ａ））、ＴＦＴ素子Ｔｒがオフ状態になる。これにより、サブ画素ＳＰixは、データ線ＳＧＬから切り離されフローティング状態になる。そして、液晶分子Ｍは、書き込まれた画素電圧Ｖpixに応じてその向きを変え、タイミングｔ２０〜ｔ２２の期間において輝度Ｉが変化する（図９（Ｂ））。そして期間Ｐ１が終了する。
【手続補正５】
【補正対象書類名】明細書
【補正対象項目名】００５３
【補正方法】変更
【補正の内容】
【００５３】
また、本実施の形態では、左眼画像ＦＬおよびそれに続く黒画像Ｂｋを表示する場合には、液晶表示部１３の奇数ラインのみを順次走査し、右眼画像ＦＲおよびそれに続く黒画像Ｂｋを表示する場合には、液晶表示部１３の偶数ラインのみを順次走査している。これにより、走査するライン数を半減できるため、走査周期Ｔ１を短くすることができ、これにより２回目の順次走査のための時間を確保することができる。
【手続補正６】
【補正対象書類名】明細書
【補正対象項目名】００７５
【補正方法】変更
【補正の内容】
【００７５】
本比較例２に係る表示システム１Ｓでは、期間Ｐ１Ｒ，Ｐ２Ｒにおいて、奇数ラインに対する左眼画像ＦＬに基づく表示駆動と、偶数ラインに対する黒画像Ｂｋに基づく表示駆動とを同時に行い、期間Ｐ３Ｒ，Ｐ４Ｒにおいて、奇数ラインに対する黒画像Ｂｋに基づく表示駆動と、偶数ラインに対する右眼画像ＦＲに基づく表示駆動とを同時に行っている。これにより、左眼画像ＦＬと右眼画像ＦＲが混ざり合うクロストークが生じるおそれがある。
【手続補正７】
【補正対象書類名】明細書
【補正対象項目名】００７８
【補正方法】変更
【補正の内容】
【００７８】
また、本比較例２に係る表示システム１Ｓでは、期間Ｐ１Ｒ〜Ｐ４Ｒのうちの２つの期間のみが黒色を表示するため、液晶分子Ｍの応答が遅い場合には、輝度Ｉが十分に下がりきらないおそれがあり、その場合には、クロストークなどにより画質が低下するおそれがある。
【手続補正８】
【補正対象書類名】明細書
【補正対象項目名】００９８
【補正方法】変更
【補正の内容】
【００９８】
［変形例２−２］
上記実施の形態では、上記第１の実施の形態に係る表示システム１に液晶表示部３３を適用したが、これに限定されるものではなく、例えば、上記実施の形態の変形例１−１〜１−４に係る表示システムに液晶表示部３３を適用してもよい。
【手続補正９】
【補正対象書類名】図面
【補正対象項目名】図１７Ａ
【補正方法】変更
【補正の内容】
【図１７Ａ】
2014027379.tif 000001
【手続補正１０】
【補正対象書類名】図面
【補正対象項目名】図１８
【補正方法】変更
【補正の内容】
【図１８】
2014027379.tif 000002